(57)【要約】【課題】  部品コストを低減させ、製品の小型化に役立ち、簡単な構成で、ユーザを驚かせることなく直感的に操作でき、重心バランスを安定させることができる画像形成装置を提供する。【解決手段】  記録材Ｓに画像を形成するプリンタ部２と、プリンタ部２の上方に配置され、原稿を載置する原稿台１４及び原稿台１４に原稿を押圧するる圧板１３を有して原稿を読み取り可能なスキャナ部３と、を備え、スキャナ部３は、プリンタ部２に対して回動自在に設けられ、圧板１３は、原稿台１４に対してスキャナ部３と同一方向に回動自在に設けられた画像形成装置１であって、プリンタ部２に設けられ、圧板１３が開放位置にあるときに圧板１３の回転を止める回転止め機構を備える画像形成装置１を構成した。【選択図】  図１
2012185337.tif 000002
【特許請求の範囲】
【請求項１】
記録材に画像を形成する画像形成部と、前記画像形成部の上方に配置され、原稿を載置する原稿載置台及び前記原稿載置台に原稿を押圧する押圧部材を有して原稿を読み取り可能な画像読取部と、を備え、前記画像読取部は、前記画像形成部に対して回動自在に設けられ、前記押圧部材は、前記原稿載置台に対して前記画像読取部と同一方向に回動自在に設けられた画像形成装置であって、
前記画像形成部に設けられ、前記押圧部材が開放位置にあるときに前記押圧部材の回転を止める回転止め機構を備えることを特徴とする画像形成装置。
【請求項２】
前記押圧部材の回動中心と前記画像読取部の回動中心とが同軸上にあることを特徴とする請求項１に記載の画像形成装置。
【請求項３】
前記押圧部材は、前記原稿載置台に設けられた軸を回動中心として軸支されていることを特徴とする請求項２に記載の画像形成装置
【請求項４】
前記回転止め機構は、前記画像形成部から延びて前記画像読取部を支持する支持体に形成されて前記押圧部材が開放位置にあるときに前記押圧部材の裏面が突き当たる突当面を有することを特徴とする請求項１乃至請求項３のいずれか１項に記載の画像形成装置。
【請求項５】
前記回転止め機構は、前記押圧部材と前記画像形成部を直接に連結する連結部材を有することを特徴とする請求項１に記載の画像形成装置
【発明の詳細な説明】
【技術分野】
【０００１】
本発明は、圧板及び原稿載置台を有する画像読取部を備える画像形成装置に関する。
【背景技術】
【０００２】
画像形成装置には、圧板及び原稿載置台を有する画像読取部が、画像形成部の上部に開閉自在に取り付けられた構成のものがある。こうした画像形成装置に関する発明として特許文献１に記載の発明が開示されている。特許文献１に記載の画像形成装置は、原稿載置台及び圧板が連接機構により画像形成部に対して開閉自在に構成され、連接機構は、圧板の画像形成部に対する角度を一定に保つリンクを有する。こうした構成によれば、圧板や原稿載置台を開いた際に、重心が装置本体の後方に過度にズレなくなるから、メンテナンスパーツの交換等が安全かつ確実に行える旨記載されている。
【先行技術文献】
【特許文献】
【０００３】
【特許文献１】特開２００８−２６２０３７号公報
【発明の概要】
【発明が解決しようとする課題】
【０００４】
しかしながら、特許文献１に記載のロック機構は、部品コストが余分にかかる上に、製品にロック機構の部品を配置するための空間が必要となって製品を小型化する際の制約となる。
【０００５】
また、特許文献１に記載のロック機構は、圧板を開放した状態でさらに圧板に開く方向に力を加えた場合に、原稿台も開きユーザを驚かせる懸念がある。特に、小型・中型の画像形成装置では原稿台の重量が軽いため、圧板を回動させて上方に開放した状態でさらに圧板に開く方向に力を加えると、その力が圧板からリンク機構を通じて原稿台に伝わり、原稿台も一緒に開いてしまい、ユーザを驚かせる懸念がある。
【０００６】
なお、こうした懸念を解消するために、圧板が開いているときは、原稿載置台が画像形成部に対して開かないようにロックし、原稿載置台が開いているときは、圧板が原稿台に対して開かないようにロックする構成も考えられる。ただし、圧板が開放された状態で、ユーザが原稿台を開こうとした場合、ロックを解除するために圧板を一度閉じる必要があり、この操作はユーザが直感的に操作できない虞がある。
【０００７】
そこで、本発明は、上記実情に鑑み、部品コストを低減させ、製品の小型化に役立ち、簡単な構成で、ユーザを驚かせることなく直感的に操作でき、重心バランスを安定させることができる画像形成装置を提供することを目的とする。
【課題を解決するための手段】
【０００８】
上記目的を達成するため、本発明の画像形成装置は、記録材に画像を形成する画像形成部と、前記画像形成部の上方に配置され、原稿を載置する原稿載置台及び前記原稿載置台に原稿を押圧する押圧部材を有して原稿を読み取り可能な画像読取部と、を備え、前記画像読取部は、前記画像形成部に対して回動自在に設けられ、前記押圧部材は、前記原稿載置台に対して前記画像読取部と同一方向に回動自在に設けられた画像形成装置であって、前記画像形成部に設けられ、前記押圧部材が開放位置にあるときに前記押圧部材の回転を止める回転止め機構を備えることを特徴とする。
【発明の効果】
【０００９】
本発明によれば、部品コストが低減され、製品の小型化に役立ち、簡単な構成で、ユーザを驚かせることなく直感的に操作でき、重心バランスが安定する。
【図面の簡単な説明】
【００１０】
【図１】実施例１に係る画像形成装置の構成を示す斜視図である。
【図２】画像形成装置の内部構造を示す断面図である。
【図３】原稿台が単独で開放（圧板と一体的に開放）されたときの画像形成装置の構成を示す側面図等である。
【図４】圧板及び原稿台の各々が別々の角度で開放されたときの画像形成装置の構成を示す側面図である。
【図５】実施例２に係る画像形成装置の構成を示す側面図である。
【図６】原稿台及び圧板の各々が別々の角度で開放されたときの構成を示す側面図である。
【発明を実施するための形態】
【００１１】
以下に図面を参照して、この発明の好適な実施の形態を、実施例に基づいて例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００１２】
図１は、実施例１に係る画像形成装置１の構成を示す斜視図である。図２は、画像形成装置１の内部構造を示す断面図である。これらの図１及び図２を参照しつつ、実施例１に係る画像形成装置１について説明する。図１に示すように、画像形成装置１は、プリンタ部２及びスキャナ部３を備える。
【００１３】
『画像形成部』であるプリンタ部２は、記録材Ｓ（図２参照）に画像を形成するものである。『画像読取部』であるスキャナ部３は、プリンタ部２の上方に配置され、原稿を載置する『原稿載置台』である原稿台１４、及び、原稿台１４に原稿を押圧する『押圧部材』である圧板１３、を有し、原稿を読み取り可能なものである。
【００１４】
スキャナ部３は、プリンタ部２に対して回動自在に設けられ、圧板１３は、原稿台１４に対してスキャナ部３と同一方向に回動自在に設けられている。また、画像形成装置１は回転止め機構を備える。回転止め機構は、プリンタ部２に設けられ、圧板１３が開放位置にあるときに圧板１３の回転を止める機構である。特に、実施例１では、『回転止め機構』は突当面１７である。突当面１７は、プリンタ部２の枠体１１から延びてスキャナ部３を支持する『支持体』である軸支持部１１ａに形成され、圧板１３が開放位置にあるときに圧板１３の裏面が突き当たる。これに関しては後述する。
【００１５】
画像形成装置１は、通信可能に接続されたホストコンピュータなどの外部機器からの画像情報、或いはスキャナ部３で読み取った原稿画像情報に応じてプリンタ部２に於いて画像を形成するプリンタ・複写機として機能する。また、画像形成装置１は、スキャナ部３で読み取った原稿画像情報を通信可能に接続された外部機器に送信するスキャナ装置としても機能し得る複合機である。
【００１６】
図２に示すように、スキャナ部３は、プリンタ部２の上方に配置されており、スキャナ部３及びプリンタ部２の間に排出積載部４を挟む状態に配置されている。また、スキャナ部３は、プリンタ部２に対して、後方部の回動中心Ａを中心として回動可能（開閉可能）に取り付けられている。またその前方部は、プリンタ部２とスキャナ部３の間を連結するリンク部材５（図１参照）が設けられている。
【００１７】
次に、プリンタ部２の内部構造について説明する。プリンタ部２は、電子写真方式により記録材Ｓに画像を記録するレーザビームプリンタである。プリンタ部２は概略次のような構成、作用により画像を形成する。
【００１８】
図２に示されるように、給送トレイ６に積載された記録材Ｓは、ホストコンピュータ（図示せず）からのプリント信号に基づいて、給送ローラ７と分離ローラ８とにより一枚ずつ分離されて給送される。分離された記録材Ｓは、搬送ローラ対９により、転写部５１に搬送される。転写部５１は、ユニット化されプリンタ部２すなわち画像形成装置１に着脱自在なプロセスカートリッジ５９と、転写ローラ５７等を備えている。プロセスカートリッジ５９は、感光体ドラム５８、感光体ドラム５８を帯電させる図示しない帯電器、感光体ドラム５８上の潜像をトナーで現像する図示しない現像器、感光体ドラム５８上の残留トナーを除去し、収容するクリーナ等から構成されている。
【００１９】
レーザスキャナユニット６０は、多面体ミラー６１、多面体ミラー回転用モータ、レーザユニット等がユニット化されて構成されている。レーザスキャナユニット６０から画像情報に基づくレーザ光Ｌが照射され、感光体ドラム５８上に露光し、潜像が電子写真方式で形成される。この潜像は現像手段により現像剤としてのトナーにより現像され、この現像されたトナー像は転写ローラ５７により、感光体ドラム５８上から搬送される記録材Ｓに転写される。その後、感光体ドラム５８は、クリーナにより残留トナーが清掃される。
【００２０】
トナー像の転写を終えた記録材Ｓは定着フィルム６４と、この定着フィルム６４に圧接された加圧ローラ６５とから構成される定着ユニット６２に搬送され、ここで転写されたトナー像が加熱及び定着される。トナー像が定着された記録材Ｓは、排出ローラ対６３により搬送され、プリンタ部２の上方部の排出積載部４に排出される。
【００２１】
排出積載部４は、プリンタ部２の筐体の一部として、ドア１０の上面に設けられている。また、ドア１０は、プリンタ部２の枠体１１に、回動中心Ｃ周りに回動開閉可能に配置されている。そして、このドア１０をプリンタ部２の本体に対して開口することによって、プリンタ部２の内部を開放することができ、プロセスカートリッジ５９に対するアクセスや記録材Ｓのジャム処理などが可能となる。
【００２２】
スキャナ部３は、原稿を載置する原稿台１４と、原稿台１４に置かれた原稿を上から抑える圧板１３からなる。原稿台１４は、原稿台１４に載置された原稿を走査するために移動可能なキャリッジ（図示せず）を有し、プリンタ部２に対する回動中心Ａ周りに回動可能である。圧板１３は、原稿台１４の上面に配置されており、回動中心Ａと同軸上の回動中心周りに、原稿台１４に対し回動開閉可能である。そのため原稿台１４の回動方向と、圧板１３の回動方向は一致している。スキャナ部３が、自動原稿搬送装置（以下、ＡＤＦ）を備えている場合、ＡＤＦは圧板１３と一体に取り付けられている。
【００２３】
図３（ａ）は、原稿台１４が単独で開放（圧板１３と一体的に開放）されたときの画像形成装置１の構成を示す側面図である。図３（ｂ）は、圧板１３が単独で開放されたときの画像形成装置１の構成を示す側面図である。図４は、圧板１３及び原稿台１４の各々が別々の角度で開放されたときの画像形成装置１の構成を示す側面図である。この図３を参照しつつ、スキャナ部３の回動機構（開閉機構）について説明する。
【００２４】
ここで、図１及び図２に戻って、スキャナ部３の回動機構の構成及び作用に関して説明する。図１に示すように、プリンタ部２の上部における後方側の部位には、枠体１１の軸支持部１１ａが上方に向かって延びている。この軸支持部１１ａは、「原稿台回転保持軸」である軸２１を保持している。この一方で、原稿台１４の背面には、「原稿台回転支持部」である支持部２０が設けられている。そして、この支持部２０に対して軸２１が挿通されている。そのために、原稿台１４は、プリンタ部２に対して回動中心Ａ（軸２１）を中心として回動可能となっている。また、原稿台１４が回動することで、原稿台１４の上の圧板１３が回動するので、スキャナ部３は全体として回動するようになっている。
【００２５】
原稿台１４の背面には、軸挿通部２５及び支持凸部２６が設けられている。軸挿通部２５には、「圧板回転保持部」である軸１６が挿通され、支持凸部２６が軸１６を支持している。この一方で、圧板１３の背面側には、「圧板回転支持部」である支持部１５が設けられている。そして、この支持部１５に対しても軸１６が挿通されている。そのために、圧板１３は、原稿台１４に対して回動中心Ａ（軸１６）を中心として回動可能となっている。また、プリンタ部２の枠体１１の軸支持部１１ａには、圧板１３が開放位置にあるときに、圧板１３の裏面が突き当たる突当面１７が形成されている。この突当面１７については、後述する。
【００２６】
図３（ａ）を参照しつつ、原稿台１４及び圧板１３が一体的に回動（開閉）する機構及び回動動作（開閉動作）について説明する。ここで、原稿台１４における支持部２０の側を「原稿台１４の基端部」といい、原稿台１４における支持部２０とは反対側を「原稿台１４の先端部」というものとする。
【００２７】
図３（ａ）に示すように、プリンタ部２とスキャナ部３との間は、リンク部材５により連結されている。リンク部材５は、主に、下リンク２２、上リンク２３、及び、捩りコイルバネ（以下、「バネ３０」という）を有している。下リンク２２の一端は、プリンタ部２の枠体１１の軸支持部１１ａに回転可能に支持されている。他方、上リンク２３の一端は、原稿台１４の下部に回転可能に支持されている。これらの下リンク２２の他端、及び、上リンク２３の他端は、回転可能に接合されている。このように接合されていることにより、それぞれの原稿台１４の下面、プリンタ部２の枠体１１の軸支持部１１ａ、下リンク２２および上リンク２３が、回転支持部において回転可能に支持されており、４節リンクが構成されている。
【００２８】
バネ３０は、下リンク接合部２８に設けられた軸を軸中心として下リンク２２を矢印Ｖの方向に付勢し、上リンク接合部２９に設けられた軸を軸中心として上リンク２３を矢印Ｖの方向に付勢するように取り付けられている。また、下リンク２２に対して上リンク２３が所定量以上回転しないようにするための回転止めが、下リンク２２に設けられている。
【００２９】
定常動作の際においては、図２に示すように、スキャナ部３はプリンタ部２に対し閉じた状態にある。そしてプロセスカートリッジ５９に対するアクセスや記録材Ｓのジャム処理などのために、プリンタ部２の内部を開放する場合には、まず図３（ａ）に示されるようにスキャナ部３を持ち上げて開放状態で保持させた後、ドア１０を持ち上げて開放させる。
【００３０】
これより、スキャナ部３を持ち上げて開放状態で保持させる動作を説明する。まず、ユーザがスキャナ部３の原稿台１４の先端部を持ち上げる。これにより、図３（ａ）に示すように、スキャナ部３は回動中心Ａを中心として開く方向Ｗに回転する。この時、スキャナ部３の回転動作に伴って、リンク部材５は所定の軌跡上を回転動作する。
【００３１】
そして、下リンク２２および上リンク２３が所定量回転すると、下リンク２２に設けられた突き当て面に上リンク２３が突き当たり、４節リンクの運動が止まる。このときのスキャナ部３の位置が開放状態の位置となる。またリンク部材５に取り付けられたバネ３０によって、矢印Ｖの方向に下リンク２２と上リンク２３を開く力が働き、突っ張ることで、スキャナ部３の開放状態が保持される。
【００３２】
次に、スキャナ部３を閉じる動作を説明する。ユーザがスキャナ部３の先端部を押し下げ、リンク部材５に取り付けられたバネ３０によるスキャナ部３を保持する力を上回る力をかける。これにより、スキャナ部３は回動中心Ａを中心として閉じる方向Ｘに回転して閉じる。
【００３３】
図３（ｂ）を参照しつつ、圧板１３が回動（開閉）する機構及び回動動作（開閉動作）について説明する。ここで、圧板１３における支持部１５の側を「圧板１３の基端部」といい、圧板１３における支持部１５とは反対側を「圧板１３の先端部」というものとする。スキャナ部３を使用して、原稿を読み取る操作を行う際、スキャナ部３の圧板１３を持ち上げて開放させた後、原稿台１４に原稿を載置し、その後に圧板１３を閉じて、原稿を押圧する操作を行う。
【００３４】
これより、圧板１３を持ち上げて開放状態で保持させる動作を説明する。ユーザが圧板１３を開く際には、圧板１３の先端部を持ち上げる。これにより図３（ｂ）に示すように、圧板１３は回動中心Ａを中心として開く方向Ｗに回転する。
【００３５】
圧板１３が所定量回転すると、プリンタ部２の枠体１１の軸支持部１１ａに設けられた突当面１７に圧板１３が突き当たり、圧板１３がこれ以上回転できなくなる。このときの圧板１３の位置が開放状態の位置となる。また、圧板１３が開放状態の位置にあるとき、圧板１３の重心位置Ｇａは、圧板１３の回動中心Ａよりも製品後方にある。そのため圧板１３の回動中心Ａ回りのモーメントを考えると、圧板１３は、圧板１３の自重による力Ｆａによって、開く方向に力がかかることが分かる。これにより、圧板１３の開放状態が保持される。
【００３６】
ここで、圧板１３が開放状態にある位置から、圧板１３をさらに開く方向Ｗに力Ｆｂをかける。この力Ｆｂは圧板１３の突当面１７に伝わる。突当面１７はプリンタ部２の枠体１１の軸支持部１１ａに設けられているため、圧板１３に掛けられる力は直接にプリンタ部２に伝わることになる。そのため力Ｆｂは原稿台１４に伝わることはない。従って、圧板１３が開放状態にある位置から、圧板１３をさらに開く方向Ｗに力Ｆｂをかけた場合にも、原稿台１４が開いてしまいユーザを驚かせる懸念のない構成が達成される。
【００３７】
次に、圧板１３を閉じる動作を説明する。ユーザが圧板１３を閉じる際には、圧板１３の先端部を押し下げる。これにより図３（ｂ）に示す状態から、圧板１３は回動中心Ａを中心として閉じる方向Ｘに回転して閉じる。
【００３８】
以上の原稿台１４および圧板１３の回動開閉動作の説明では、圧板１３が閉じた状態で原稿台１４の開閉動作を行い、原稿台１４が閉じた状態で圧板１３の開閉動作を行った。これらの他に、圧板１３が開放状態で保持されているときに、原稿台１４の開閉動作を行い、原稿台１４が開放状態で保持されているときに、圧板１３の開閉動作を行うことが考えられる。この２つの動作をする場合について説明する。
【００３９】
まず、図３（ｂ）にあるように圧板１３が開放状態で保持されているときに、原稿台１４の開閉動作を行う場合について述べる。圧板１３が開放状態で保持されている場合においても、原稿台１４の先端部を持ち上げることで原稿台１４を開放して保持することができる。同様に、原稿台１４の先端部を押し下げることで閉じることができる。
【００４０】
ここで、圧板１３に対する突当面１７はプリンタ部２の枠体１１の軸支持部１１ａに設けられていることで、圧板１３の開放状態での保持は、プリンタ部２から直接なされている。従って、原稿台１４が開閉されても、図４に示すように圧板１３の開放状態の位置が製品後方側に移動することはない。そのため画像形成装置１の重心バランスは、圧板１３や原稿台１４の開閉に関わらず安定している。ＡＤＦを備えており、ＡＤＦと一体に取り付けられた圧板１３の重量が大きい場合にも、重心バランスは全く同様に安定している。
【００４１】
さらに、圧板１３の回動中心（軸１６）と、原稿台１４の回動中心（軸２１）とは、同軸上にある。そのため、圧板１３の回動中心（軸１６）は、原稿台１４の開閉角度に関わらず一定になっている。従って、圧板１３の開放状態が保持されたまま原稿台１４が開閉動作されても、圧板１３の開放状態の位置（姿勢）は、原稿台１４の開閉角度によらず一定となる。その結果、開放状態にある圧板１３が原稿台１４の開閉動作で閉まってきてユーザを驚かせる懸念が無い。
【００４２】
次に、図３（ａ）にあるように原稿台１４が開いた状態で圧板１３の開閉動作を行う場合について説明する。原稿台１４が開放状態で保持されている場合においても、圧板１３の先端部を持ち上げることで、圧板１３を開放し保持することができる。同様に、圧板１３の先端部を押し下げることで閉じることができる。ここで、すでに述べたように、圧板１３が開放状態で保持される位置は、原稿台１４の開閉に関わらず一定となっている。
【００４３】
以上説明したように、原稿台１４および圧板１３の回動開閉動作は、原稿台１４および圧板１３の開閉位置に関わらず、自由に行うことができる。そのため、ユーザは直感的に操作が可能である。また、ロック機構などを使用しない簡素な構成のため、製品の小型化・低価格化に有利となる。
【００４４】
また、軸１６を原稿台１４に設ける（圧板１３は、原稿台１４に設けられた軸１６を回動中心として軸支されている）。その結果、スキャナ部３の機能をスキャナ部３内で完結させることができるため、原稿台１４に対する圧板１３の位置決めも容易になる。そのために、読取精度（特にＡＤＦを備えている場合のＡＤＦからの読み取り精度）を確保し易い（悪化させる懸念がなくなる）という効果が得られる。なお、軸１６が、原稿台１４の回動中心である軸２１と同軸上にあれば、軸１６をプリンタ部２の枠体１１の軸支持部１１ａに設けても、構成可能であり、上で述べたものと同じ効果が得られる。
【実施例２】
【００４５】
図５は、実施例２に係る画像形成装置１０１の構成を示し、図５（ａ）は原稿台１４及び圧板１３を閉じたときの構成を示す側面図であり、図５（ｂ）は圧板１３を単独で開いたときの構成を示す側面図である。図６は、原稿台１４及び圧板１３の各々が別々の角度で開放されたときの構成を示す側面図である。ここではその特徴的な部分だけを示し、その他の構成および作用については実施例１と同一なので、その説明は省略する。実施例２では、回転止め機構は、圧板１３とプリンタ部２を直接に連結する『連結部材』である紐状部材５０である。
【００４６】
図５（ａ）〜図６で示すように、原稿台１４の回転中心である軸２１（回動中心Ａ）と、圧板１３の回転中心である軸１６（回動中心Ｂ）は同一軸上に無く、２つの回転中心軸がずれている。
【００４７】
また、プリンタ部２と圧板１３との間は、紐状部材５０により連結されている。紐状部材５０の一端はプリンタ部２の枠体１１の枠体紐保持部５２に保持され、紐状部材５０の他端は圧板１３の下部に設けられた圧板紐保持部５３に保持されている。このように保持されていることにより、圧板１３が開放されたときの回転止めをプリンタ部２から直接行うことができる。
【００４８】
図５（ｂ）を参照しつつ、圧板１３が回動（開閉）する機構及び回動動作（開閉動作）について説明する。まず、圧板１３を開く際には、圧板１３の先端部を持ち上げる。これにより図５（ｂ）に示すように、圧板１３は回動中心Ｂを中心として開く方向Ｗに回転する。圧板１３が所定量回転すると、プリンタ部２と圧板１３との間を連結する紐状部材５０が突っ張り、圧板１３がこれ以上回転できなくなる。このときの圧板１３の位置が開放状態の位置となる。
【００４９】
ここで、図５（ｂ）で示す圧板１３が開放状態にある位置から、圧板１３をさらに開く方向Ｗに力Ｆｂをかける。この力Ｆｂは圧板１３の圧板紐保持部５３から、紐状部材５０を通じ、プリンタ部２の枠体紐保持部５２に伝わるため、圧板１３に掛けられる力は直接にプリンタ部２に伝わることになる。そのため力Ｆｂは原稿台１４に伝わることはない。従って、圧板１３が開放状態にある位置から、圧板１３をさらに開く方向Ｗに力Ｆｂをかけた場合にも、原稿台１４が開いてしまいユーザを驚かせる懸念のない構成が達成される。なお、圧板１３を閉じる際には、圧板１３の先端を押し下げる。
【００５０】
次に、図５（ｂ）にあるような、圧板１３が開放状態で保持されているときに、原稿台１４の開閉動作を行う場合について述べる。プリンタ部２と圧板１３との間は、紐状部材５０により連結されているため、原稿台１４が開閉されても、図６に示すように圧板１３の開放状態の位置が製品後方側に移動することはない。そのため画像形成装置１０１の重心バランスは、圧板１３や原稿台１４の開閉に関わらず安定している。
【００５１】
実施例１又は２の構成によれば、部品コストが低減され、製品の小型化に役立ち、簡単な構成で、ユーザを驚かせることなく直感的に操作でき、重心バランスが安定する。効果を詳細に分析すると、以下のようになる。
【００５２】
圧板１３が開放位置にあるときの回転止めをプリンタ部２に設けている。そのため、開放状態にある圧板１３に対して更なる開放方向への力が負荷されても、力はプリンタ部２に伝わるのみで原稿台１４に伝わることはなく、原稿台１４が開いてしまってユーザを驚かせる懸念がなくなる。また、圧板１３の開放状態での保持は、プリンタ部２から直接なされているため、原稿台１４が開閉されても、圧板１３の開放状態の位置は略一定に保たれる。そのため、画像形成装置１の重心バランスの変動が大きく低減され、重心バランスを崩す懸念がなくなる。
【００５３】
さらに、機構などを追加していないため、直感的な操作が可能となる。また、構成が簡素であり、製品の小型化・低価格化に有利である。特に、小型・中型の画像形成装置で軽量化を目指す場合に、上記利点の度合が増す。
【００５４】
実施例２の構成によれば、実施例１の場合のように突当面１７と圧板１３の裏面との配置関係を調節しなくても、実施例１と同様の効果が得られる。
【００５５】
なお、実施例１では、突当面１７は、４つの軸支持部１１ａの内側の２つにのみ設けられていたが、この構成に限定されなくても良い。すなわち、４つの軸支持部１１ａの全てに設けられても良い。また、突当面１７の数は、適宜変更可能である。
【００５６】
なお、実施例２では、プリンタ部２と圧板１３との連結に紐状部材５０を使用したが、それに限らず例えば、ピストン運動をするリンク機構を用いても構成可能であり、上で述べたものと同じ効果が得られる。また、回動中心Ａと回動中心Ｂが同軸上にあっても良い。
【符号の説明】
【００５７】
１、１０１    画像形成装置
２    プリンタ部（画像形成部）
３    スキャナ部（画像読取部）
１３  圧板（押圧部材）
１４  原稿台（原稿載置台）
１７  突当面（回転止め機構）
５２  紐状部材（回転止め機構）
Ｓ    記録材
【図１】
2012185337.tif 000003
【図２】
2012185337.tif 000004
【図３】
2012185337.tif 000005
【図４】
2012185337.tif 000006
【図５】
2012185337.tif 000007
【図６】
2012185337.tif 000008